(57)【特許請求の範囲】
【請求項１】
冠鋸を運ぶための装置であって、
冠鋸複数個による入れ子をその外面上に可分離的に搭載可能で且つそのポジションを（ｉ）収蔵ポジションと（ｉｉ）冠鋸キャリアの外面から１個又は複数個の冠鋸を外せる使用ポジションとの間で変化させうる冠鋸キャリアと、
冠鋸キャリア及びその外面上にある冠鋸が収蔵ポジション時に少なくとも部分的に収まる第１窪みと、
を有し、第１窪みが複数個の幅違い窪み部分を有し、幅違い窪み部分それぞれの幅がいずれかの冠鋸直径に対応しており、収蔵ポジション時にはその直径の冠鋸又はその一部がその幅違い窪み部分に収まる装置。
【請求項２】
請求項１記載の装置であって、更に、
その一方又は双方を操作し相対的なポジションを開ポジション・閉ポジション間で変化させることが可能なベース及びカバーを備え、閉ポジション時には冠鋸キャリアが収蔵ポジションとなり使用ポジションへの移行が実質的に阻止される一方、開ポジション時には冠鋸キャリアのポジションが収蔵ポジション・使用ポジション間で可変となる装置。
【請求項３】
請求項２記載の装置であって、
ベース側に、冠鋸キャリア及びその外面上にある冠鋸が収蔵ポジション時に少なくとも部分的に収まる上掲の第１窪みがあり、カバー側に、冠鋸キャリア及びその外面上にある冠鋸が収蔵ポジション時に少なくとも部分的に収まる第２窪みがある装置。
【請求項４】
請求項２又は３記載の装置であって、
ベース、カバー又はその双方が、（ｉ）冠鋸を可分離的に収容できるよう冠鋸キャリアの側方に１個又は複数個設けられた冠鋸収容部、（ｉｉ）アーバを可分離的に収容できるよう冠鋸キャリアの側方に１個又は複数個設けられたアーバ収容部、或いは（ｉｉｉ）パイロットドリルを可分離的に収容できるよう冠鋸キャリアの側方に１個又は複数個設けられたパイロットドリル収容部を有する装置。
【請求項５】
請求項４記載の装置であって、
（ｉ）１個又は複数個の冠鋸の少なくとも一部分を可分離的に収容可能な冠鋸収容部が対応して１個又は複数個形成されるよう第１又は第２窪みの側方に設けられた冠鋸窪み、（ｉｉ）１個又は複数個のアーバの少なくとも一部分を可分離的に収容可能なアーバ収容部が１個又は複数個形成されるよう第１又は第２窪みの側方に１個又は複数個設けられたアーバ窪み、或いは（ｉｉｉ）１個又は複数個のパイロットドリルの少なくとも一部分を可分離的に収容可能なパイロットドリル収容部が１個又は複数個形成されるよう第１又は第２窪みの側方に１個又は複数個設けられたパイロットドリル窪みを有する装置。
【請求項６】
請求項４記載の装置であって、
個々の冠鋸収容部、アーバ収容部又はパイロットドリル収容部が、対応する冠鋸、アーバ又はパイロットドリルと有摩擦的に係合しそれを可分離的に保持する装置。
【請求項７】
請求項２乃至６のうちいずれか一項記載の装置であって、
そのポジションを開ポジション・閉ポジション間で変化させうるようベース及びカバーが互いに可枢動的に連結された装置。
【請求項８】
請求項２又は３記載の装置であって、
ベース、カバー又はその双方が、上掲の第１窪みと、（ｉ）冠鋸を可分離的に収容できるよう第１窪みの側方に１個又は複数個設けられた冠鋸収容部、（ｉｉ）アーバを可分離的に収容できるよう第１窪みの側方に１個又は複数個設けられたアーバ収容部、並びに（ｉｉｉ）パイロットドリルを可分離的に収容できるよう第１窪みの側方に１個又は複数個設けられたパイロットドリル収容部のうち少なくともいずれかと、を有する装置。
【請求項９】
請求項８記載の装置であって、
ベース、カバー又はその双方が（ｉ）付加的な冠鋸収容部、（ｉｉ）アーバ収容部及び（ｉｉｉ）パイロットドリル収容部を１個又は複数個有する装置。
【請求項１０】
請求項９記載の装置であって、
ベース、カバー又はその双方が、付加的な冠鋸収容部を複数個、アーバ収容部を複数個有する装置。
【請求項１１】
請求項１乃至１０のうちいずれか一項記載の装置であって、
収蔵ポジションでは冠鋸キャリアが本装置内に収まる一方、使用ポジションでは冠鋸キャリアが本装置から延びてその外面への冠鋸の着脱が可能となる装置。
【請求項１２】
請求項１１記載の装置であって、
使用ポジション時に冠鋸キャリアがほぼ直立する装置。
【請求項１３】
請求項１乃至１２のうちいずれか一項記載の装置であって、
冠鋸のアーバホールに通せるよう冠鋸キャリアが細長く延びており、冠鋸キャリアの外面に冠鋸を可分離的に搭載すること及びその面上で冠鋸同士を入れ子にすることが可能な装置。
【請求項１４】
請求項１３記載の装置であって、
収蔵ポジション・使用ポジション間で枢動させうるよう冠鋸キャリアが可枢動的に連結された装置。
【請求項１５】
請求項１乃至１４のうちいずれか一項記載の装置であって、
冠鋸複数個による入れ子が収蔵ポジション時に収まるよう、上掲の幅違い窪み部分間で漸進的に幅が狭められた装置。
【請求項１６】
請求項１乃至１５のうちいずれか一項記載の装置であって、
アーバの取付に備え冠鋸毎に設けられているアーバホールを冠鋸複数個に亘り冠鋸キャリアで貫くことで、冠鋸複数個による入れ子が冠鋸キャリアの外面上に搭載される装置。
【請求項１７】
請求項１乃至１６のうちいずれか一項記載の装置であって、幅違い窪み部分同士が隣接する装置。
【請求項１８】
冠鋸を運ぶための装置であって、
冠鋸複数個による入れ子を可分離的に搭載可能な第１手段と、
第１手段のポジションを（ｉ）収蔵ポジションと（ｉｉ）第１手段から１個又は複数個の冠鋸を外せる使用ポジションとの間で変化させる第２手段と、
第１手段及びそれに搭載されている冠鋸が収蔵ポジション時に少なくとも部分的に収まる第３手段と、
を備え、第３手段が、対応するサイズの冠鋸又はその一部が収蔵ポジション時に収まる第４手段を複数個有し、
前記複数の第４手段は、複数の幅違い窪み部分である装置。
【請求項１９】
請求項１８記載の装置であって、
第１手段が、細長く延び冠鋸側のアーバホールを貫くことで冠鋸複数個による入れ子が可分離的に搭載されるキャリアであり、
第２手段が、収蔵ポジション・使用ポジション間で本装置上のキャリアを枢動させるべくキャリア・本装置間に配された枢動支持部を有し、
第３手段が、冠鋸キャリア及びその外面上にある冠鋸が少なくとも部分的に収まる第１窪みであり、
前記複数の幅違い窪み部分は、その幅がいずれかの冠鋸直径にほぼ対応するよう第１窪みに設けられた幅違い窪み部分である装置。
【発明の詳細な説明】
【技術分野】
【０００１】
本発明はツール保持用のキット及びそれに類する装置、具体的には冠鋸（ホールソー）を保持するキット及びそれに類する装置に関する。
【背景技術】
【０００２】
配管工、電気工、ＨＶＡＣ（暖房換気空調）工等といった職人にとり難題なのは、現場に持参しなければならないツールやサプライが重くてかさばることである。この問題が面倒なのは、必要になるかもしれないツールやサプライを全て現場に持参しないと、現場に持参しなかったツールやサプライを持ち込むための往来を繰り返し、それに時間が費やされることとなりかねないからである。結局、職人等は、ツールやサプライをできるだけ多く現場に持参しようとして、重くてかさばるツールを自分のツールバッグやツール箱に過剰に詰め込んでしまう。しかも、従来型のツールキット、バッグ、箱等では、冠鋸やホールカッタ（本願では「冠鋸」と総称）、それを駆動するためのアーバ（心棒）、それらに関連するツールやアクセサリ（例えばパイロットドリルビット）等がひとまとまりにならないので、望ましくないほど大きなスペースが食われると共に、個別の冠鋸、アーバその他のアクセサリを必要時になかなか見つけられないことにもなる。
【発明の概要】
【発明が解決しようとする課題】
【０００３】
本発明の目的は、従来技術における上述した難点乃至短所のうち１個又は複数個を解消することにある。
【課題を解決するための手段】
【０００４】
本発明の実施形態としては、冠鋸を運ぶ際に使用される装置、特に冠鋸複数個による入れ子をその外面上に可分離的に搭載可能な冠鋸キャリアを備え、その冠鋸キャリアのポジションを（ｉ）収蔵ポジションと（ｉｉ）冠鋸キャリアの外面から１個又は複数個の冠鋸を外せる使用ポジションとの間で変化させうる装置がある。これは、冠鋸のアーバホールに通せるよう冠鋸キャリアが細長く延び、冠鋸キャリアの外面に冠鋸を可分離的に搭載すること及びその面上で冠鋸同士を入れ子にすることが可能な形態で実施することができる。例えば、収蔵ポジション・使用ポジション間で枢動させうるよう冠鋸キャリアが可枢動的に連結された形態である。
【０００５】
本発明は、収蔵ポジションでは冠鋸キャリアが装置内に収まる一方、使用ポジションでは冠鋸キャリアが装置から延びてその外面への冠鋸の着脱が可能となる形態で実施することができる。例えば、使用ポジション時に冠鋸キャリアがほぼ直立する形態である。
【０００６】
本発明は、冠鋸キャリア及びその外面上にある冠鋸が収蔵ポジション時に少なくとも部分的に収まるよう装置上に窪みを設けた形態で実施することができる。その窪みは、例えば複数個の幅違い窪み部分を有する。その幅違い窪み部分それぞれの幅はいずれかの冠鋸直径に対応させ、その直径の冠鋸又はその一部が収蔵ポジション時にその幅違い窪み部分に収まるようにする。好ましくは、冠鋸複数個による入れ子が収蔵ポジション時に収まるよう、それら幅違い窪み部分間で漸進的に幅が狭まる形態にする。
【０００７】
本発明は、装置にベース及びカバーが備わる形態で実施することができる。それらベース及びカバーのうち少なくとも一方は、相対的なポジションを開ポジション・閉ポジション間で変化させうるように可動型とする。閉ポジション時には冠鋸キャリアが収蔵ポジションとなり使用ポジションへの移行が実質的に阻止される一方、開ポジション時には冠鋸キャリアのポジションが収蔵ポジション・使用ポジション間で可変となる。この形態の例は、ベースに第１窪み、カバーに第２窪みを設け、冠鋸キャリア及びその外面上にある冠鋸のうちいずれかの第１部分が収蔵ポジション時に第１窪みに、また冠鋸キャリア及びその外面上にある冠鋸のうちいずれかの第２部分が収蔵ポジション時に第２窪みに収まるようにした形態である。
【０００８】
本発明は、ベース、カバー又はその双方が、冠鋸キャリア及びその外面上にある冠鋸が収蔵ポジション時に少なくとも部分的に収まるよう設けられた窪みと、（ｉ）冠鋸を可分離的に収容できるようその窪みの側方に１個又は複数個設けられた冠鋸収容部、（ｉｉ）アーバを可分離的に収容できるよう同窪みの側方に１個又は複数個設けられたアーバ収容部、並びに（ｉｉｉ）パイロットドリルを可分離的に収容できるよう同窪みの側方に１個又は複数個設けられたパイロットドリル収容部のうち少なくともいずれかと、を有する形態で実施することができる。例えば、個々の冠鋸収容部、アーバ収容部又はパイロットドリル収容部が対応する冠鋸、アーバ又はパイロットドリルと有摩擦的に係合しそれを可分離的に保持する形態である。例えば、（ｉ）１個又は複数個の冠鋸の少なくとも一部分を可分離的に収容可能な冠鋸収容部が１個又は複数個形成されるよう対応する冠鋸窪みを第１又は第２窪みの側方に設け、（ｉｉ）１個又は複数個のアーバの少なくとも一部分を可分離的に収容可能なアーバ収容部が１個又は複数個形成されるようアーバ窪みを第１又は第２窪みの側方に１個又は複数個設け、或いは（ｉｉｉ）１個又は複数個のパイロットドリルの少なくとも一部分を可分離的に収容可能なパイロットドリル収容部が１個又は複数個形成されるようパイロットドリル窪みを第１又は第２窪みの側方に１個又は複数個設ける。
【０００９】
本発明の他の実施形態としては、冠鋸を運ぶ際に使用され、冠鋸複数個による入れ子を可分離的に搭載可能な第１手段と、第１手段のポジションを（ｉ）収蔵ポジションと（ｉｉ）第１手段から１個又は複数個の冠鋸を外せる使用ポジションとの間で変化させる第２手段と、を備える装置がある。
【００１０】
本発明は、第１手段が、細長く延び冠鋸側のアーバホールを貫くことで冠鋸複数個による入れ子が可分離的に搭載されるキャリアであり、第２手段が、収蔵ポジション・使用ポジション間で本装置上のキャリアを枢動させるべくキャリア・本装置間に配された枢動支持部を有する形態にて、実施することができる。
【発明の効果】
【００１１】
本発明の長所は、職人その他の人物が複数個の冠鋸例えば全揃い又は部分揃いの冠鋸（及び所望なら関連するアーバその他のアクセサリ）を本装置例えばキット内に入れ、現場との間でその冠鋸（及び所望なら関連するアーバその他のアクセサリ）を簡便に輸送できることである。本発明の他の長所は、冠鋸キャリアの外面に冠鋸を入れ子状態で搭載可能であるため、収蔵済冠鋸が占める容積や床面積が少なくなり、小さな装置乃至キットでの冠鋸保持、冠鋸輸送が可能になることである。本発明の更なる長所は、冠鋸キャリアのポジションを収蔵ポジション・使用ポジション間で変化させることで、冠鋸キャリアの外面に冠鋸を装着して収蔵する、そこから冠鋸を外して使用するといった所作を容易に行えることである。更に別の長所は、キットによって冠鋸が入れ子状態で整頓・配列されるため、冠鋸が小容積・小床面積内にまとまり、使用のため必要になったときに冠鋸を迅速且つ簡便に取り出せることである。
【００１２】
本発明の他の目的及び効果、並びに現下で望ましい実施形態については、そうした実施形態に関する以下の詳細な説明及び別紙図面を参照することで容易にご理解頂けよう。
【図面の簡単な説明】
【００１３】
【図１】本発明の一実施形態に係る冠鋸キットの閉ポジション時斜視図である。
【図２】図１に示した冠鋸キットの開ポジション時斜視図、特に１個又は複数個の冠鋸を着脱できるようキャリアを立たせ使用ポジションにしたときの図である。
【図３】図１に示した冠鋸キットの開ポジション時斜視図、但し明瞭化のためキャリア及び冠鋸を省いた図である。
【発明を実施するための形態】
【００１４】
図１〜図３に、本発明の一実施形態に係る装置全体を参照符号１０で示す。この装置１０は冠鋸を収蔵するためのキットであるが、所望なら冠鋸駆動用アーバや他のツール乃至アクセサリ、例えばパイロットドリルビットも収蔵可能である。このキット１０では、ベース１２及びカバー１４がヒンジ１６によって可枢動的に連結されている。ベース１２に備わる閉止具１８は本件技術分野で習熟を積んだ者（いわゆる当業者）にとり既知タイプのものであり、閉ポジションにしたカバー１４に閉止具１８を可解除的に連結させそれを図１の如く閉状態に保つことや、カバー１４がベース１２から解き放たれるように閉止具１８を操作し図２に示す開ポジションへとカバー１４のポジションを変化させることが可能である。
【００１５】
特に図２から読み取れるように、このキット１０には冠鋸キャリア２０が備わっており、冠鋸２２複数個による入れ子をそのキャリア２０の外面上に可分離的に搭載することができる。図２中に矢印で示した通り、キャリア２０のポジションは（ｉ）収蔵ポジションと（ｉｉ）その外面から１個又は複数個の冠鋸２２を外せる使用ポジションとの間で変化させることができる。図示の通りこのキャリア２０は細長いので、入れ子をなす冠鋸２２それぞれのアーバホール（図示せず）に通し、その外面に冠鋸２２を可分離的に搭載すること及びそれら冠鋸２２同士を入れ子にすることが可能である。図示例では、こうした細長いキャリア２０がベース１２に対し可枢動的に連結されており、収蔵ポジション・使用ポジション間でそれを枢動させることができる。収蔵ポジションはキャリア２０がキット１０内に収まるポジション、使用ポジションはキャリア２０がキット１０から延びるポジションであり、使用ポジションではキャリア２０の外面から冠鋸２２を容易に外すことができる。図２に示すように、使用ポジションではキャリア２０がほぼ直立状態となる。但し、いわゆる当業者なら本願による開示から認識できるように、既知の形状、構成及び手法や今後そうなるものも含め、他の様々な形状又は構成のキャリア上に１個又は複数個の冠鋸を可分離搭載することや他の様々な手法に従いキャリアを装置に可動実装することも可能である。
【００１６】
ベース１２には第１キャリア用窪み２４、即ち冠鋸キャリア２０及びその外面上にある冠鋸２２が収蔵ポジション時に部分的に収まる窪みが設けられている。この窪み２４は、その幅が異なる部分（第１幅違い窪み部分）２６を複数個有している。各部分２６の幅はいずれかの冠鋸サイズ（冠鋸直径）に対応しており、収蔵ポジション時にはその直径の冠鋸２２又はその一部がその部分２６に収まるようになっている。これらの部分２６の幅は、冠鋸２２複数個による入れ子が収蔵ポジション時に収まるようキャリア２０の軸沿いに漸進的に狭まっている。窪み２４の内奥端にある幅狭部分２８は、収蔵ポジション時にキャリア２０の自由端が収まる部分である。他方、カバー１４には第２キャリア用窪み３０、即ちキャリア２０及びその外面上にある冠鋸２２の逆側が収蔵ポジション時に収まる窪みが設けられている。この窪み３０は、その幅が異なる部分（第２幅違い窪み部分）３２を複数個有している。各部分３２の幅はいずれかの冠鋸直径に対応しており、収蔵ポジション時にはその直径の冠鋸２２又はその一部がその部分３２に収まるようになっている。これらの部分３２の幅は、冠鋸２２複数個による入れ子が収蔵ポジション時に収まるようキャリア２０の軸沿いに漸進的に狭まっている。窪み３０の内奥端にある幅狭部分３４は、収蔵ポジション時にキャリア２０の自由端が収まる部分である。
【００１７】
図１に示した閉ポジションでは、冠鋸キャリア２０が収蔵ポジションにあり且つ第１キャリア用窪み２４・第２キャリア用窪み３０間に挟まっているため、そのポジションを使用ポジションに変えることがほぼ不可能である。これに対し、図２に示した開ポジションでは、キャリア２０のポジションを収蔵ポジション・使用ポジション間で変化させることができる。図２に示すように、キャリア２０を枢動支持部３６にしっかりと固定しそこから外方に向けキャリア２０を延ばす一方、その枢動支持部３６をベース１２にしっかりと且つ可枢動的に固定してあるからである。ベース１２側にあるキャリア装着窪み３８に枢動支持部３６の両端を入れて有摩擦的に係合させるようにしてあるため、枢動支持部３６をベース１２に対し枢動させること、ひいてはキャリア２０を収蔵ポジション・使用ポジション間で枢動させることができる。その枢動支持部３６には、入れ子の外寄りに位置する冠鋸２２のエンドキャップに当接してそれを支持する側方張出部３７や、そこから側外方に張り出し窪み３８内に有摩擦的に収容される枢支ピン３９複数個（１個のみ図示）も備わっている。
【００１８】
カバー１４には、ある側方間隔で第１アーバ収容部４０及び第２アーバ収容部４２が設けられている。図示例では、それらアーバ収容部４０，４２がめいめい略長方形の窪み４４，４６で形成されている（符号同順）。個々の窪み４４，４６は、対応するアーバ（図示せず）のシャンクを収容することが可能で、且つそのシャンクと有摩擦的に係合する構成であるので、対応するアーバを可解除的に収蔵ポジションに保持することができる。個々の窪み４４，４６は、対応するアーバの本体を収容可能なアーバ本体用窪み４８，５０に通じており、その窪み４８，５０は対応するアーバにドリルビットが取り付けられている場合にそのドリルビットが収まる細長いドリルビット用窪み４９，５１に通じている（符号同順）。カバー１４には、更に、スペアドリルビットその他のアクセサリを可分離的に受け容れそれと有摩擦的に係合するスペアドリルビット用窪み５２が、ある側方間隔で窪み４９に隣ずるよう細長く延びている。
【００１９】
ベース１２には、別の冠鋸をはじめ他のツール乃至アクセサリを可分離的に収容可能な形態にて更なる窪み５４，５６が設けられている。図示の通り、窪み５６に可分離的に受け容れ有摩擦的に係合することが可能な冠鋸は、窪み５４におけるそれに比べ大きな直径のものである。そのベース１２の周縁沿いにはほぼ平坦な面たる第１周縁閉止面５８があり、カバー１４の周縁沿いにもほぼ平坦な面たる第２周縁閉止面６０がある。閉ポジションでは両面５８，６０が相互接触して閉止部を形成する。所望なら、閉ポジション時にキット内容物がよりしっかりと保護されるよう、周縁閉止面５８，６０で水密封止部等といった封止型閉止面を形成することも可能である。キット１０を閉ポジションにすると、ベース１２及びカバー１４を貫通している都合２個の孔６２が相互整列して単一の孔となるので、クリップ、ストラップ等の器具をその孔に通し他の装置乃至物体にキット１０を懸架乃至装着することができる。図１に示した通り、閉ポジション時にはキット１０がコンパクトな形態・形状となるので、その運搬、ツールキットへの組込、他種ツール搬送装置例えばツール箱乃至ツールバッグへの収容等を容易に行うことができる。ベース１２やカバー１４の側壁上にはある側方間隔でリブ６４が複数本設けられており、キット把持の容易化や美観の向上に役立っている。
【００２０】
いわゆる当業者なら本願による開示から認識できるように、本発明の諸実施形態例えば上掲の実施形態には、別紙特許請求の範囲で規定される技術的範囲内で様々な変形乃至改良を施すことができる。例えば、既知の素材、サイズ、形態等や今後そうなるものを含め、他の様々な素材、サイズ、形態等でキットを形成することが可能である。更に、単一のキット内に複数個の冠鋸が収まる構成や、付加的な冠鋸、アーバ、パイロットビット等をはじめ既知のアクセサリ、ツール、サプライ等や今後そうなるものをキット内に保持可能な構成にすることもできる。アーバ、ツール、アクセサリ等を可分離的に装着する仕組みとしては、既知の仕組み及び今後そうなるものを含め、様々な装着構造を使用することができる。このように、現下の好適な実施形態に関する以上の詳細な説明に関しては、要旨限定的な性質ではなく説明的な性質のものとして捉えられたい。
【図１】
0005711293.tif 000002
【図２】
0005711293.tif 000003
【図３】
0005711293.tif 000004